(57)【要約】 【課題】連写撮影時のカメラヘッドの発熱を抑制するとともに撮影間隔の短縮化を図ることができるカメラシステムを提供する。【解決手段】カメラヘッド１ａにもカメラ本体１ｂと同じ機能を持つ第１の信号処理回路１０５ａを設ける。連写時には、カメラヘッド１ａが備える第１の処理部１０５ａとカメラ本体１ｂが備える第２の信号処理回路１０５ｂとにほぼ並列に信号処理を行なわせることで撮影間隔の短縮化を実現するとともに、カメラヘッド１ａの第１の信号処理回路１０５ａの負荷を軽減してカメラヘッド１ａの発熱を抑制する。【選択図】図２
2008228047.tif 000002
【特許請求の範囲】
【請求項１】
撮影光学系と撮像素子を備えたカメラヘッドと、該カメラヘッドが着脱自在に装着され該カメラヘッドから画像を受け取って記録するカメラ本体とを備えたカメラシステムにおいて、
前記カメラヘッドが、前記撮像素子で得られた画像を処理する第１の処理部を備えたものであり、
前記カメラ本体が、前記カメラヘッドに備えられた撮像素子で得られた画像を受け取って該画像を処理する、前記第１の処理部と同一の機能を有する、第２の処理部を備えたものであって、
当該カメラシステムは連写撮影モードを有し、該連写撮影モードが指定されて連写撮影が行なわれているときには、前記第１の処理部と前記第２の処理部とが、前記撮像素子で得られた画像を双方で分担して処理するものであることを特徴とするカメラシステム。
【請求項２】
撮影光学系と撮像素子を備えたカメラヘッドと、該カメラヘッドが着脱自在に装着され該カメラヘッドから画像を受け取って記録するカメラ本体とを備えたカメラシステムにおいて、
前記カメラヘッドが、温度センサと、前記撮像素子で得られた画像を処理する第１の処理部を備えたものであり、
前記カメラ本体が、前記カメラヘッドに備えられた撮像素子で得られた画像を受け取って該画像を処理する第２の処理部を備えたものであって、
前記温度センサにより所定温度以下の温度が検出されているときは、前記撮像素子で得られた画像を前記第１の処理部で処理して処理後の画像を前記カメラ本体へ送って記録し、
前記温度センサにより所定温度を超える温度が検出されたときは、前記撮像素子で得られた処理前の画像を前記カメラ本体に送り前記第２の処理部で処理して記録することを特徴とするカメラシステム。
【請求項３】
撮影光学系と撮像素子を備えたカメラヘッドと、該カメラヘッドが着脱自在に装着され該カメラヘッドから画像を受け取って記録するカメラ本体とを備えたカメラシステムにおいて、
前記カメラヘッドが、前記撮像素子で得られた画像を処理する第１の処理部を備えたものであり、
前記カメラ本体が、前記カメラヘッドに備えられた撮像素子で得られた画像を受け取って該画像を処理する、前記第１の処理部と同一の機能を有する、第２の処理部を備えたものであって、
当該カメラシステムは、動画撮影中に静止画撮影を行なう動画静止画同時撮影モードを有し、該動画静止画同時撮影モードにおいては前記撮像素子で得られた静止画は前記第１の処理部で処理して処理後の静止画を前記カメラ本体に送って記録し、前記撮像素子で得られた動画は、処理前の動画をカメラ本体に送って前記第２の処理部で処理して記録することを特徴とするカメラシステム。
【発明の詳細な説明】
【技術分野】
【０００１】
本発明は、撮影光学系と撮像素子を備えたカメラヘッドとそのカメラヘッドと通信を行ないカメラヘッドから画像信号を受け取って信号処理を行なうカメラ本体とを備えたカメラシステムに関する。
【背景技術】
【０００２】
最近、撮影光学系と撮像素子を備えたカメラヘッドと、カメラヘッドが着脱自在に装着されカメラヘッドから画像信号を受け取って信号処理を行なうカメラ本体とを備えたカメラシステムが提案されている（例えば特許文献１、２参照）。特許文献２のカメラシステムでは、いろいろなカメラヘッドの種類に対応することができるようにカメラヘッドがカメラ本体に装着されたときにカメラ本体がカメラヘッド内の撮像素子固有の情報を受け取ってカメラヘッド側の撮像素子に適合した信号処理をカメラ本体で行なうようにしている。
【０００３】
ところで、最近のデジタルカメラには、静止画撮影モードと動画撮影モードに加えて連写撮影モードが搭載されているものがある。この連写撮影モードにおいては所定の撮影間隔ごとに静止画撮影が行なわれる。しかし、撮像素子の高画素化が進み高画素数の撮像素子がデジタルカメラに搭載されるようになってきたためにフレームレートを下げないと連写における撮影処理を行なうことができなくなってきている。つまり撮影間隔をあまり短くすることができないという問題が出てきている。
【０００４】
そこで、連写撮影の撮影間隔の短縮化を図ることができるように、デジタルカメラ内に複数の信号処理部を設けて高画素の撮像素子の撮影領域を複数の領域に分担し分担した領域ごとの処理を複数の信号処理部それぞれにほぼ同時に並列処理を行なわせる技術が提案されている（例えば特許文献３参照）。この特許文献３の技術を用いると、撮像素子の全撮影領域に亘る１フレーム分の画像信号が高画素数からなるものであってもフレームレートを上げることができるので連写撮影における撮影間隔の短縮化を図ることが可能となる。
【０００５】
この特許文献３の技術を上記カメラシステムにも適用することができれば、短い撮影間隔で撮影を行なうことができる連写撮影モードをカメラシステムに搭載することができる。
【０００６】
しかしながら上記特許文献１、２等のカメラシステムにおいては、カメラヘッドが備える撮像素子がどのようなものであるかが分からないため、装着されたカメラヘッドが備える撮像素子で生成された画像が一旦カメラ本体側のデジタル信号処理部内のフレームメモリにすべて転送される仕組みになっている。つまり上記カメラシステムに特許文献３の技術を適用する場合には、カメラ本体側のデジタル信号処理部以降の処理段に特許文献３の技術を適用することになる。このため、上記カメラシステムに特許文献３の技術を適用したとしても、連写撮影時にはカメラヘッドからカメラ本体に向けて所定の間隔ごとに高画素数の画像信号を送り続けなければらない。
【０００７】
言い換えれば上記カメラシステムに特許文献３の技術を適用して撮影間隔の短い連写撮影モードを実現させようとしても、カメラヘッドからカメラ本体へ画像を送るのに要する時間が長くなってそのことがフレームレートに大きく影響を及ぼしてカメラ本体側の処理部を処理不能状態に陥らせてしまう可能性があるということになる。
【０００８】
この問題を解決するためにカメラヘッドに信号処理部を設けてその信号処理部に撮像素子固有の処理を行なわせ画像のデータ量を圧縮させてからカメラ本体に送ることが考えられるが、カメラヘッドにＣＰＵと撮像素子に加えて信号処理部を設けると、短い撮影間隔で連写撮影を行なっているときに過負荷状態になってカメラヘッドが発熱してしまうことが予想される。
【特許文献１】特開平８−１７２５６１号公報
【特許文献２】特開２０００−１７５０８９号公報
【特許文献３】特開２００４−２８９６３１号公報
【発明の開示】
【発明が解決しようとする課題】
【０００９】
本発明は、上記事情に鑑み、連写撮影時のカメラヘッドの発熱を抑制するとともに撮影間隔の短縮化を図ることができるカメラシステムを提供することを目的とする。
【課題を解決するための手段】
【００１０】
上記目的を達成する本発明の第１のカメラシステムは、撮影光学系と撮像素子を備えたカメラヘッドと、そのカメラヘッドが着脱自在に装着されカメラヘッドから画像を受け取って記録するカメラ本体とを備えたカメラシステムにおいて、
上記カメラヘッドが、上記撮像素子で得られた画像を処理する第１の処理部を備えたものであり、
上記カメラ本体が、上記カメラヘッドに備えられた撮像素子で得られる画像を受け取ってその画像を処理する、上記第１の処理部と同一の機能を有する、第２の処理部を備えたものであって、
当該カメラシステムは連写撮影モードを有し、連写撮影モードが指定されて連写撮影が行なわれているときには、上記第１の処理部と上記第２の処理部とが、上記撮像素子で得られた画像を双方で分担して処理するものであることを特徴とする。
【００１１】
上記本発明の第１のカメラシステムによれば、上記カメラヘッドにカメラ本体側の第２の信号処理部と同一の機能を有する第１の処理部が備えられ連写撮影モードのときには、撮像素子で得られた画像に双方で分担してほぼ並行して処理を行なせることができる。そうすると、第１の処理部と第２の処理部とで処理が分担してほぼ並行に行なわれる分、フレームレートを上げることが可能となって撮影間隔を短縮することが可能となる。また、第１の処理部の負荷を軽減することができるのでカメラヘッドの発熱を抑制することが可能となる。
【００１２】
すなわち、連写撮影時のカメラヘッドの発熱を抑制するとともに撮影間隔の短縮化を図ることができるカメラシステムが実現する。
【００１３】
また、上記目的を達成する本発明の第２のカメラシステムは、撮影光学系と撮像素子を備えたカメラヘッドと、そのカメラヘッドが着脱自在に装着されそのカメラヘッドから画像を受け取って記録するカメラ本体とを備えたカメラシステムにおいて、
上記カメラヘッドが、温度センサと、上記撮像素子で得られた画像を処理する第１の処理部を備えたものであり、
上記カメラ本体が、上記カメラヘッドに備えられた撮像素子で得られた画像を受け取ってその画像を処理する第２の処理部を備えたものであって、
上記温度センサにより所定温度以下の温度が検出されているときは、上記撮像素子で得られた画像を上記第１の処理部で処理して処理後の画像を上記カメラ本体へ送って記録し、
上記温度センサにより所定温度を超える温度が検出されたときは、上記撮像素子で得られた処理前の画像を上記カメラ本体に送り上記第２の処理部で処理して記録することを特徴とする。
【００１４】
上記本発明の第２のカメラシステムでは、主に上記第１の処理部に画像の処理を行なわせて、カメラヘッドが発熱したときには上記温度センサでその発熱を温度により検出して、カメラヘッドの温度が下がるまでの間はカメラ本体の第２の処理部に処理を行なわせる。
【００１５】
つまり、カメラヘッド側の温度が上昇する前においては第１の処理部で処理が行なわれ上記カメラヘッドの温度が上昇したときには第２の処理部で処理が行なわれて、カメラヘッドの温度が低下したら再度第１の処理部で処理が行なわれてカメラヘッドの温度が再び上昇したらまた第２の処理部で処理が行なわれるという風になるので、上記本発明の第１のカメラシステムと同様に、カメラヘッドとカメラ本体とで分担してほぼ並行に処理が行なわれることとなる。
【００１６】
すなわち、連写撮影時のカメラヘッドの発熱を抑制するとともに撮影間隔の短縮化を図ることができるカメラシステムが実現する。
【００１７】
また、上記目的を達成する本発明の第３のカメラシステムは、
撮影光学系と撮像素子を備えたカメラヘッドと、該カメラヘッドが着脱自在に装着され該カメラヘッドから画像を受け取って記録するカメラ本体とを備えたカメラシステムにおいて、
上記カメラヘッドが、上記撮像素子で得られた画像を処理する第１の処理部を備えたものであり、
上記カメラ本体が、上記カメラヘッドに備えられた撮像素子で得られる画像を受け取ってその画像を処理する、上記第１の処理部と同一の機能を有する、第２の処理部を備えたものであって、
当該カメラシステムは、動画撮影中に静止画撮影を行なう動画静止画同時撮影モードを有し、その動画静止画同時撮影モードにおいては上記撮像素子で得られた静止画は上記第１の処理部で処理して処理後の静止画を上記カメラ本体に送って記録し、上記撮像素子で得られた動画は、処理前の動画をカメラ本体に送って上記第２の処理部で処理して記録することを特徴とする。
【００１８】
上記本発明の第３のカメラシステムでは、連写撮影に匹敵する動画静止画同時撮影モードという撮影モードが設けられ、動画撮影においてはカメラヘッドの温度上昇を抑制するために第２の処理部が用いられて動画撮影が行なわれ、その動画撮影中の静止画撮影においてはカメラヘッドの第１の処理部が用いられて連写撮影が行なわれる。
【００１９】
周知の通り、動画撮影においては撮像素子が高画素のものであっても画素数が間引かれて処理が行なわれるので連写のときのようにカメラ本体側の第２の処理部を処理不能状態に陥らせることはまずなく、連写のときよりもカメラヘッドの発熱量は少ない。
【００２０】
そこでカメラ本体が備える第２の処理部に動画撮影処理を行なわせている最中にカメラヘッドが備える第１の処理部に、いままでよりも短い撮影間隔で連写撮影処理を行なわせる構成を提案している。このような構成にしても良い。
【発明の効果】
【００２１】
以上、説明したように、連写撮影時のカメラヘッドの発熱を抑制するとともに撮影間隔の短縮化を図ることができるカメラシステムが実現する。
【発明を実施するための最良の形態】
【００２２】
以下、本発明の実施の形態について説明する。
【００２３】
図１は、本発明の一実施形態であるカメラシステムの構成を示す図である。
【００２４】
図１に示すように本実施形態のカメラシステム１は、カメラヘッド１ａとカメラ本体１ｂとを備える。図１には、撮影光学系と撮像素子を備えたカメラヘッド１ａと、そのカメラヘッド１ａが着脱自在に装着されカメラヘッド１ａから画像を受け取って記録するカメラ本体１ｂとが示されている。図１に示すカメラ本体１ｂには、カメラヘッド１ａを受け入れるためのレンズマウント１０ｂが設けられており、図１には示されていないがカメラヘッド１ａにもカメラ本体１ｂ側のレンズマウント１０ｂに適合するマウントが設けられている。
【００２５】
またカメラ本体１ｂには、レリーズボタン１１ｂやモードダイヤル１２ｂや発光窓１３ｂが備えられている。本実施形態においては、そのモードダイヤル１２ｂで指定されるモードの中に静止画撮影モード、動画撮影モードに加えて連写撮影モードが配備されている。不図示のカメラ本体の背面側の表示画面と操作子とを用いてその連写撮影モードにおける撮影間隔や撮影枚数などを設定することができるようになっており、撮影間隔や撮影枚数が操作により設定された後、モードダイヤル１２ｂにより連写モードが指定されるとレリーズボタン１１ｂの押し操作（トグル動作）に応じて設定された撮影間隔で連写撮影が行なわれる構成になっている。
【００２６】
図２は、図１のカメラヘッド１ａがカメラ本体１ｂに装着された状態にあるときの信号処理の系統を説明する系統図である。
【００２７】
図２（ａ）の系統図には、通常撮影モードで通常撮影が行なわれるときと、連写撮影における偶数コマの撮影が行なわれるときの信号処理の系統が示されている。
【００２８】
また、図２（ｂ）の系統図には、連写撮影における奇数コマの撮影が行なわれるときの信号処理の系統が示されている。
【００２９】
図２（ａ）、図２（ｂ）共に左側にはカメラヘッド１ａの構成が示されており、右側にはカメラ本体１ｂの構成が示されている。
【００３０】
まず、簡単に構成を説明する。
【００３１】
図２（ａ）、図２（ｂ）に示すようにこのカメラシステム１を構成するカメラヘッド１ａには、カメラヘッド１ａの動作の制御を行なうＣＰＵ１００ａが備えられている。このＣＰＵ１００ａは、後述するカメラ本体１ｂ側のＣＰＵ１００ｂと相互に通信を行なって連携してこのカメラシステム１全体の制御を行なうものである。
【００３２】
カメラヘッド１には、撮影レンズ１０１ａと撮像素子（ここではＣＣＤ固体撮像素子が用いられているので以下ＣＣＤセンサという）１０２ａとが備えられており、その撮影レンズで被写体をＣＣＤセンサ１２ａに結像させることによりＣＣＤセンサ１２ａで画像データの生成が行なわれる。このＣＣＤセンサ１２ａで生成された画像データがＣＤＳ（Ｃｏｒｒｅｌａｔｅｄ  Ｄｏｕｂｌｅ  Ｓａｍｐｌｉｎｇ）１０３ａに出力されＣＤＳ１０３ａではノイズ低減の処理などが行なわれる。さらに後段のＡＤＣ（Ａｎａｌｏｇ  Ｄｉｇｉｔａｌ  Ｃｏｎｖｅｒｔｅｒ）１０４ａではアナログ信号の画像信号がデジタル信号の画像信号に変換される。そのＡＤＣ１０４ａの後段には、ＹＣ変換や圧縮処理を行なう第１の信号処理回路１０５ａが備えられている。この第１の信号処理回路１０５ａで、本発明にいう第１の処理部の一例が構成される。
【００３３】
図２（ａ）と図２（ｂ）にそれぞれ示す様に、連写撮影モードが指定され撮影が行なわれているときには、カメラヘッド１ａではＣＰＵ１００ａの制御の下に撮影コマごとにその第１の信号処理回路１０５ａで信号処理が行なわれる前の画像（図２（ｂ）参照）とその第１の信号処理回路１０５ａで信号処理が行なわれた後の画像（図２(ａ)参照）とが交互にカメラ本体１ｂに送られるようになっている。なお、図２（ａ）、図２（ｂ）には、第１の信号処理回路１０５ａで信号処理が行なわれた後の画像と、第１の信号処理回路１０５ａで信号処理が行なわれる前の画像とを図中において区別するために、信号処理が行なわれた後の画像のことがＪＰＥＧデータと記載され、信号処理が行われる前の画像のことがＲＡＷデータと記載されている。
【００３４】
一方カメラ本体１ｂには、カメラ本体１ｂの動作を制御するＣＰＵ１００ｂが備えられており、カメラヘッド１ａ側のＣＰＵ１００ａとこのＣＰＵ１００ｂとの連携によって、上述したようにこのカメラシステム１全体の動作が制御される。
【００３５】
なお、本実施形態のカメラシステム１においては、このカメラシステム１の動作に必要な電力を供給するための電池ＢＴがカメラ本体に備えられており、そのカメラ本体１ｂの電池ＢＴからカメラヘッド１ａ内の各回路とカメラ本体１ｂ内の各回路とに電力が供給される構成になっている。
【００３６】
さらに、カメラ本体１ｂには、上記カメラヘッド１ａ側の第１の信号処理回路１０５ａと同じ機能を有する第２の信号処理回路１０５ｂが備えられている。連写撮影時にカメラヘッド１ａのＣＰＵ１００ａの制御の下に信号処理前のＲＡＷデータがカメラ本体１ｂに送信されてきたときには、カメラ本体側のＣＰＵ１００ｂの制御の下にこの第２の信号処理部回路１０５ｂで信号処理が行なわれてメディア１０６ｂに記録される。
【００３７】
また、カメラヘッド１ａ側のＣＰＵ１００ａの制御の下に上記カメラヘッド１ａ側の第１の信号処理回路１０５ａで信号処理が行なわれたＪＰＥＧデータがカメラ本体１ｂに送られてきたときには、カメラ本体側のＣＰＵ１００ｂの制御の下にカメラ本体１ｂに送られてきた画像がそのままメディア１０６ｂに記録される。この第２の信号処理回路１０５ｂで本発明にいう第２の処理部の一例が構成される。
【００３８】
このような構成を持つカメラシステムの作用を説明する。
【００３９】
図３は、通常撮影モード時の信号処理シーケンスを説明するシーケンス図と連写モード時の信号処理シーケンスを説明するシーケンス図である。図３の上側のシーケンス図は図２（ａ）に対応し、図３の下側のシーケンス図は図２（ｂ）と図２（ａ）とに交互に対応する。
【００４０】
まず、図２（ａ）と図３（ａ）とを参照して通常撮影モード時の信号処理シーケンスを説明する。
【００４１】
図３の右下がりのハッチングが付されている部分の処理がカメラ本体側の処理になる。また双方の通信部が処理を実行するデータ転送処理には、交叉するハッチングが付されている。
【００４２】
本実施形態のカメラシステム１では通常撮影モードで撮影が行なわれたときには、カメラヘッド１ａ側のＣＰＵ１００ａの制御の下に第１の信号処理回路１０５ａによってＪＰＥＧ圧縮までの処理が行なわれてカメラ本体側にＪＰＥＧ圧縮された画像ファイルが転送されてカメラ本体側のＣＰＵ１００ｂの制御の下にカメラ本体側のメディア１０６ｂに記録される。
【００４３】
このときにはカメラヘッド側のＣＰＵ１００ａの制御の下にまず測光処理（ＡＥ）や焦点調整処理（ＡＦ）が行なわれて絞り径の調整や撮影レンズの中のフォーカスレンズの合焦位置調整が行なわれた後不図示の機械式シャッタが開されＣＣＤセンサ１０２ａへの被写体光の光量の制御が行なわれる。機械式シャッタが閉じられ露光が終了したらＣＣＤセンサ１０２ａで得られた画像が後段のＣＤＳ１０３ａへと読み出されノイズ低減処理が行なわれた後Ａ／Ｄ部１０４ａでデジタル信号に変換された画像が後段の第１の信号処理回路１０５ａに供給される。第１の信号処理回路１０５ａでは画像にＹＣ処理やＪＰＥＧ処理が行なわれて、圧縮された画像（ＪＰＥＧデータ）がカメラ本体１ｂに送られる。このカメラ本体１ｂに送られてきたＪＰＥＧデータがカメラ本体側のＣＰＵ１００ｂの制御の下にメディア１０６ｂに記録される。
【００４４】
これに対して連写撮影時には、カメラヘッドのＣＰＵ１００ａとカメラ本体の１００ｂとが撮影コマごとに相互に連絡を取り合って図２（ｂ）の処理と図２（ａ）の処理とを、図３(ｂ)に示すように第１の信号処理回路１０５ａと第２の信号処理回路１０５ｂとに並列に分担して処理を行なわせる。
【００４５】
図２と図３とを参照して連写撮影モード時の信号処理シーケンスを説明する。
【００４６】
なお以降の説明においては、図２、図３の信号処理シーケンスがカメラ本体側のＣＰＵ１００ａとカメラヘッド側のＣＰＵ１００ｂとの連携により制御されていることを説明したので信号の流れのみを説明する。
【００４７】
まず連写の一枚目の撮影においては、図２（ｂ）と図３（ｂ）の一番上とに示す様に、ＣＣＤセンサ１０２ａで得られた画像（ＲＡＷデータ）がそのまま第２の処理回路１０５ｂへと送られ第２の信号処理回路１０５ｂでＹＣ処理とＪＰＥＧ処理とが行なわれてメディア１０６ｂに記録される。
【００４８】
その第２の処理回路１０５ｂで信号処理が開始されたときに、短い撮影間隔を隔てて２枚目の連写撮影が開始される。このときには図２（ａ）と図３（ｂ）の上から２番目に示す様に、通常撮影のときと同じ様にＪＰＥＧ圧縮までの処理が第１の信号処理回路１０５ａで行なわれＪＰＥＧ圧縮された画像（ＪＰＥＧデータ）がメディア１０６ｂに記録される。さらに連写２枚目の信号処理が第１の信号処理回路１０５ａで開始されたときに、短い撮影間隔を隔てて３枚目の連写撮影が開始され、カメラ本体に画像が送られて第２の処理回路で信号処理が行なわれる。このときには、連写２枚目の処理が第１の信号処理回路で行なわれてカメラ本体にＪＰＥＧデータが送られるときのタイミングとＲＡＷデータが送られるときのタイミングが略一致してしまうので、連写３枚目の画像がずらしてカメラ本体に送られている。
【００４９】
こうして連写撮影時には、カメラヘッド１ａが備える第１の信号処理回路１０５ａとカメラ本体１ｂが備える第２の信号処理回路１０５ｂとによってほぼ並列に信号処理が分担して行なわれて連写により得られた画像がメディア１０６ｂに次々と記録されていく。
【００５０】
そうすると、たとえＣＣＤセンサ１０２が高画素数からなるものであっても、その高画素数からなる画像を第１の信号処理回路１０５ａと第２の信号処理回路１０５ｂとで分担して並行に処理することができるので撮影間隔をいままでよりも短くすることが可能となる。また第１の信号処理回路１０５ａと第２の信号処理回路１０５ｂとで分担して処理を行なうことでカメラヘッド１ａ側の第１の信号処理回路１０５ａの負荷を軽減することができるのでカメラヘッド１ａの発熱を抑制することができるという効果が得られる。
【００５１】
すなわち、本発明にいう、カメラヘッド１ａが、撮像素子であるＣＣＤセンサ１０２ａで得られた画像を処理する第１の処理部を備えたものであり、カメラ本体１ｂが、カメラヘッド１ａに備えられた撮像素子で得られる画像を受け取って画像を処理する、第１の処理部と同一の機能を有する、第２の処理部を備えたものであって、当該カメラシステムは連写撮影モードを有し、その連写撮影モードが指定されて連写撮影が行なわれているときには、第１の処理部と第２の処理部とが、撮像素子で得られた画像を双方で分担して処理するものであるということになる。
【００５２】
以上、説明したように、連写撮影時のカメラヘッドの発熱を抑制するとともに撮影間隔の短縮化を図ることができるカメラシステムが実現する。
【００５３】
次に第２実施形態を説明する。
【００５４】
図４、図５は、第２実施形態を説明する図である。
【００５５】
図４には、温度センサＴｈが設けられている例が示されており、温度センサＴｈが設けられている以外は、図２の構成と同じである。図５には、図３と同様の処理シーケンスが示されている。図５には温度センサＴｈで検出された温度が所定の温度を越えたときのシーケンスのみが示されているが、カメラヘッド１ａの温度が所定の温度以下であるときには、図３（ｂ）に示す偶数コマの処理と同じ信号処理シーケンスで信号処理が行なわれる。
【００５６】
つまり、第２の実施形態では、図４に示す様にカメラヘッド１ａに温度センサＴｈを設けてカメラヘッド１ａが過負荷になってカメラヘッド１ａの温度が所定の温度を超えたことを温度センサＴｈで検出したときに図５（ｂ）に示す様に第２の信号処理回路１０５ｂに処理を行なわせる構成に改良している。この構成にしても第１実施形態と同様の効果が得られる。
【００５７】
次に第３実施形態を説明する。
【００５８】
図６、図７は、第３実施形態を説明する図である。
【００５９】
図６には、図２と図４と同様の内部の構成が示されており、カメラ本体側の第２の信号処理回路１０５ｂを、動画を処理する信号処理回路であることを示すためにＣＰＵ１００ｂから離して示してあるが、構成は、図３の構成と同じである。また、図７には、図３、図５と同様の処理シーケンスが示されている。
【００６０】
図６、図７の例では、連写撮影に匹敵する動画静止画同時撮影モードという撮影モードを設けてその動画撮影においてはカメラヘッド１ａの温度上昇を抑制するためにカメラ本体１ｂの第２の信号処理回路１０５ｂを用いて動画撮影を行なって、その動画撮影中の静止画撮影においては第１の信号処理回路１０５ａを用いて撮影を行なうようにしている。
【００６１】
周知の通り、動画撮影においてはＣＣＤセンサ１０２ａが高画素数からなるものであっても画素数が間引かれて処理が行なわれるので動画処理が行なわれているときにはがカメラヘッド１ａはそれほど発熱しない。
【００６２】
そこでこの例では、図６に示す様に第１の信号処理部１０５ａ内の画像メモリ（ＲＡＭ）に動画撮影終了後までの間静止画像を保持する構成にしておいて、動作撮影中においてはカメラ本体側のＣＰＵ１００ｂの制御の下に動画をメディアに記録し、動画撮影が終了した後に上記画像メモリ内の画像をカメラ本体に転送してゆっくりと静止画像をメディア１０６ｂに記録することができるようにしている。
【００６３】
つまり、カメラ本体１ｂが備える第２の信号処理回路１０５ｂに動画撮影処理を行なわせている最中にカメラヘッド１ａが備える第１の信号処理回路１０５ａに、いままでよりも短い撮影間隔で連写撮影処理を行なわせる構成にしている。このような構成にしても良い。
【図面の簡単な説明】
【００６４】
【図１】本発明の一実施形態であるカメラシステムの構成を示す図である。
【図２】図１のカメラヘッド１ａがカメラ本体１ｂに装着された状態にあるときの信号処理の系統を説明する系統図である。
【図３】通常撮影モード時の信号処理シーケンスを説明するシーケンス図と連写モード時の信号処理シーケンスを説明するシーケンス図である。
【図４】第２実施形態を説明する図である。
【図５】第２実施形態を説明する図である。
【図６】第３実施形態を説明する図である。
【図７】第３実施形態を説明する図である。
【符号の説明】
【００６５】
１    カメラシステム
１ａ    カメラヘッド
１００ａ    ＣＰＵ
１０１ａ    撮影レンズ
１０２ａ    ＣＣＤセンサ
１０３ａ    ＣＤＳ
１０４ａ    ＡＤＣ
１０５ａ    第１の信号処理回路
１ｂ    カメラ本体
１００ｂ    ＣＰＵ
１０５ｂ    第２の信号処理回路
１０６ｂ    メディア
Ｔｈ      温度センサ
ＢＴ      電池
【図１】
2008228047.tif 000003
【図２】
2008228047.tif 000004
【図３】
2008228047.tif 000005
【図４】
2008228047.tif 000006
【図５】
2008228047.tif 000007
【図６】
2008228047.tif 000008
【図７】
2008228047.tif 000009